(57)【要約】      （修正有）【課題】見込み寸法を小さくした方立にパネルユニットを取り付けたカーテンウォールを提供する。【解決手段】方立１にパネルユニット２Ａ，２Ｂを取り付け、そのパネルユニット２Ａ，２Ｂの枠体３は、方立１の側面１ａの間に介在する本体部と、方立１の室外面１ｃよりも室外側に突出したパネル装着部を有し、その上下の本体部の長手方向両端部をファスナーで方立１に固着し、その縦のパネル装着部を方立１の室外面１ｃの前に配置して方立１の室外面１ｃを覆うことで、方立１をパネルユニット２Ａ，２Ｂで覆うようにしたカーテンウォール。【選択図】図２
2014118788.tif 000002
【特許請求の範囲】
【請求項１】
枠体にパネルが装着された固定パネルユニット又は枠体に障子を開閉自在に取り付けた可動パネルユニットから選択される任意のパネルユニットを方立間に取り付けたカーテンウォールであって、
前記固定パネルユニットの枠体の縦枠は、左右の方立側面の間に介在する本体部と、前記方立の室外面を所定幅だけ覆うように突出したパネル装着部を有し、
前記可動パネルユニットの枠体の縦枠は、方立の室外面から突出しないように左右の方立側面の間に介在し、かつ前記可動パネルユニットの障子の框組体の縦框は、縦枠内に収まるように設けられた本体部と、前記方立の室外面を所定幅だけ覆うように突出したパネル装着部を有する
ことを特徴とするカーテンウォール。
【請求項２】
前記固定パネルユニットの枠体の上下の横枠は、左右の方立側面の間に介在する本体部と、前記方立の室外面よりも室外側に突出したパネル装着部を有し、
前記本体部の長手方向両端部がファスナーで方立に固着して取り付けられ、
前記可動パネルユニットの枠体の上下の横枠は、方立の室外面から突出しないように左右の方立側面の間に介在し、その長手方向両端部がファスナーで方立に固着して取り付けた請求項１記載のカーテンウォール。
【請求項３】
前記固定パネルユニットの枠体の縦枠の本体部は方立に係止して支持され、
前記可動パネルユニットの枠体の縦枠は方立に係止して支持されている請求項１又は２記載のカーテンウォール。
【請求項４】
前記固定パネルユニットのパネル装着部の室外側部分と前記可動パネルユニットの框組体のパネル装着部の室外側部分を同一外観形状とし、
前記固定パネルユニットと前記可動パネルユニットを隣接して方立に取り付けた請求項２又は３記載のカーテンウォール。
【発明の詳細な説明】
【技術分野】
【０００１】
本発明は、カーテンウォール、詳しくは、方立にパネルユニットを取り付けたセミユニット式のカーテンウォールに関する。
【背景技術】
【０００２】
カーテンウォールは、パネルユニットを躯体に取り付けるユニット式のカーテンウォール、躯体に取り付けた方立にパネルユニットを取り付けるセミユニット式のカーテンウォール、躯体に取り付けた方立に無目を連結して枠を形成し、その枠にパネルを装着した方立式のカーテンウォールが知られている。
そして、セミユニット式のカーテンウォールが特許文献１に開示されている。
このカーテンウォールは、左右の方立間に、枠にパネルを装着したパネルユニットを取り付けている。
【先行技術文献】
【特許文献】
【０００３】
【特許文献１】特許第４０８８９６２号公報
【発明の概要】
【発明が解決しようとする課題】
【０００４】
前述した従来のカーテンウォールは、方立の室外面の前にパネルユニットを配置しているので、カーテンウォール全体の見込み寸法が大きく、室内スペースの面積が小さくなってしまう。
つまり、カーテンウォールの室外面（パネルユニットの室外面）が建物の室外側基準面であるから、カーテンウォール全体の見込み寸法が大きいと室内スペースの面積が小さくなる。
【０００５】
本発明の目的は、方立にパネルユニットを取り付けたカーテンウォールのカーテンウォール全体の見込み寸法を小さくできるようにしたカーテンウォールとすることである。
【課題を解決するための手段】
【０００６】
本発明は、枠体にパネルが装着された固定パネルユニット又は枠体に障子を開閉自在に取り付けた可動パネルユニットから選択される任意のパネルユニットを方立間に取り付けたカーテンウォールであって、
前記固定パネルユニットの枠体の縦枠は、左右の方立側面の間に介在する本体部と、前記方立の室外面を所定幅だけ覆うように突出したパネル装着部を有し、
前記可動パネルユニットの枠体の縦枠は、方立の室外面から突出しないように左右の方立側面の間に介在し、かつ前記可動パネルユニットの障子の框組体の縦框は、縦枠内に収まるように設けられた本体部と、前記方立の室外面を所定幅だけ覆うように突出したパネル装着部を有する
ことを特徴とするカーテンウォールである。
【０００７】
本発明のカーテンウォールは、前記固定パネルユニットの枠体の上下の横枠は、左右の方立側面の間に介在する本体部と、前記方立の室外面よりも室外側に突出したパネル装着部を有し、
前記本体部の長手方向両端部がファスナーで方立に固着して取り付けられ、
前記可動パネルユニットの枠体の上下の横枠は、方立の室外面から突出しないように左右の方立側面の間に介在し、その長手方向両端部がファスナーで方立に固着して取り付けることができる。
このようにすれば、パネルユニットを左右の方立に強固に取り付けできる。
【０００８】
本発明のカーテンウォールは、前記固定パネルユニットの枠体の縦枠の本体部は方立に係止して支持され、
前記可動パネルユニットの枠体の縦枠は方立に係止して支持することができる。
【０００９】
本発明のカーテンウォールは、前記固定パネルユニットのパネル装着部の室外側部分と前記可動パネルユニットの框組体のパネル装着部の室外側部分を同一外観形状とし、
前記固定パネルユニットと前記可動パネルユニットを隣接して方立に取り付けることができる。
このようにすれば、固定パネルユニットと可動パネルユニットを備えたカーテンウォールとすることができると共に、固定パネルユニットと可動パネルユニットの外観が同じで外観の見栄えが良い。
【発明の効果】
【００１０】
本発明によれば、固定パネルユニットの枠体の縦枠の本体部、可動パネルユニットの枠体の縦枠は方立と見込み方向に重なり合うので、枠体と方立との見込み寸法が小さく、カーテンウォール全体の見込み寸法を小さくできる。
しかも、方立の室外面を固定パネルユニットのパネル装着部、可動パネルユニットの障子の框組体のパネル装着部で覆うことができ、パネルユニットが連続した外観となるから、見栄えが良い。
【図面の簡単な説明】
【００１１】
【図１】本発明のカーテンウォールの一部外観図である。
【図２】図１のＡ−Ａ断面図である。
【図３】図１のＢ−Ｂ断面図である。
【図４】図１のＣ−Ｃ断面図である。
【発明を実施するための形態】
【００１２】
図１に示すように、図示しない躯体に左右方向に間隔を置いて取り付ける方立１と、この左右の方立１間に取り付けるパネルユニット２とでセミユニット式のカーテンウォールを構成している。
方立１に取り付けた左右一方のパネルユニット２は開閉しない固定パネルユニット（ＦＩＸ部）２Ａで、左右他方のパネルユニット２は開閉する可動パネルユニット（可動部）２Ｂである。固定パネルユニット２Ａの上下のパネルユニット２は可動パネルユニット２Ｂである。
【００１３】
固定パネルユニット２Ａは、枠体３にパネル４を装着してある。
枠体３は上の横枠３０と下の横枠３１と左右の縦枠３２，３２で方形状で、その枠体３の室外側寄りにパネル４が装着してある。
可動パネルユニット２Ｂは、枠体５に障子６を開閉自在に取り付けてある。
枠体５は上の横枠５０と下の横枠５１と左右の縦枠５２，５２で方形状である。
障子６は上の横框６０と下の横框６１と左右の縦框６２を方形状に連結した框組体６３と、その框組体６３の室外側寄りに装着したパネル６４を備えている。
【００１４】
図２に示すように、方立１は、室内外側方向に向かう左右の側面１ａ，１ａと左右方向に向かう室内面１ｂ、室外面１ｃを有した矩形状で、その左右の側面１ａの室外面１ｃ寄りに、各パネルユニットの枠体３，５を支持する枠支持部１０をそれぞれ有する。
この枠支持部１０は室内側係止受片１１と室外側係止受片１２を有し、各係止受片１１，１２は室外側に向かう鉤形状で、左右の枠支持部１０は同一形状である。
【００１５】
固定パネルユニット２Ａの枠体３を形成する上の横枠３０、下の横枠３１、左右の縦枠３２は、図２、図３、図４に示すように左右の方立１の側面１ａ間に介在する室内側の上の本体部３０ａ、下の本体部３１ａ、縦の本体部３２ａと、これらの本体部よりも一回り大きく方立１の室外面１ｃから室外側に突出する室外側の上のパネル装着部３０ｂ、下のパネル装着部３１ｂ、縦のパネル装着部３２ｂを有する。
上下の本体部３０ａ，３１ａの長手方向両端部が左右のファスナー７で左右の方立１、例えば側面１ａにそれぞれ固着され、上下の本体部３０ａ，３１ａは左右の方立１の側面１ａ間に渡って取り付けられる。
この左右のファスナー７は室内側から見えるので、その左右のファスナー７間に渡ってカバー８を取り付けている。
【００１６】
縦の本体部３２ａは室内側係止片３３と室外側係止片３４を有し、この各係止片３３，３４は室内側に向かう鉤形状で、方立１の室内側係止受片１１、室外側係止受片１２にそれぞれ係止して縦の本体部３２ａ方立１の側面１ａに左右方向に動かないように係止して支持する。
つまり、室内側係止片３３、室外側係止片３４は枠支持部１０に支持される支持部である。
方立１の側面１ａと室外側係止片３４との接触部がシール材３５で水密にある。
【００１７】
上下のパネル装着部３０ｂ，３１ｂ、縦のパネル装着部３２ｂは上下の本体部３０ａ，３１ａ、縦の本体部３２ａよりも面内方向の外側に突出し、方立１の室外面１ｃよりも室外側に位置し、縦枠３２の縦のパネル装着部３２ｂが方立１の室外面１ｃの前に配置され、そのパネル装着部３２ｂで方立１の室外面１ｃを所定幅だけ覆っている。
この各パネル装着部３０ｂ，３１ｂ，３２ｂは面内方向内側に開口した凹部３６を有し、パネル４の周縁を凹部３６に挿入してシール材３７で水密することでパネル４が装着してある。
つまり、パネル装着部３０ｂ，３１ｂ，３２ｂはパネル４の周縁を呑み込んで支持するパネル呑み込み部である。
【００１８】
各パネル装着部３０ｂ，３１ｂ，３２ｂの室外側部分３０ｂ−１，３１ｂ−１，３２ｂ−１の面内方向の寸法（見付け寸法）は同一である。
縦のパネル装着部３２ｂの室内側部分３２ｂ−２は方立１の室外面１ｃと離隔し、シール材３８で気密、水密してある。
【００１９】
固定パネルユニット２Ａは、上下の横枠３０，３１の本体部３０ａ，３１ａ、縦枠３２の本体部３２ａが方立１の見込み方向と重なり合うので、その重なり合う寸法だけ方立１と枠体３との見込み寸法が小さいから、方立１と固定パネルユニット２Ａとの見込み寸法を小さくできる。
つまり、固定パネルユニット２Ａの枠体３は、左右の方立１の側面１ａの間に介在する室内側の本体部と、方立１の室外面１ｃよりも室外側に突出したパネル装着部を有し、その上下の本体部がファスナー７で方立１、例えば側面１ａに固着して取り付けられる。
【００２０】
可動パネルユニット２Ｂの枠体５の上下の横枠５０，５１の長手方向両端部を図３、図４に示すように、ファスナー７で左右の方立１、例えば側面１ａにそれぞれ固着することで、上下の横枠５０，５１を左右の方立１の側面１ａに渡って取り付ける。
この上下の横枠５０，５１、縦枠５２の室外面５０ａ，５１ａ，５２ａは方立１の室外面１ｃと同一位置である。
【００２１】
左右の縦枠５２は図２に示すように、室内側係止片５３と室外側係止片５４を有し、その室内側係止片５３、室外側係止片５４を方立１の室内側係止受片１１、室外側係止受片１２にそれぞれ係止して縦枠５２を方立１の側面１ａに左右方向に動かないように係止して支持する。
つまり、室内側係止片５３、室外側係止片５４は枠支持部１０に支持される支持部である。
方立１の側面１ａと室外側係止片５４との接触部がシール材５５でシールしてある。
【００２２】
要するに、可動パネルユニット２Ｂの枠体５は、固定パネルユニット２Ａの枠体３の本体部と同様に、左右の方立１の側面１ａの間に介在して取り付けられ、方立１の室外面１ｃから室外側に突出しないようにしてある。
【００２３】
ファスナー７は、室内外側方向に向かう一側片７０と左右方向に向かう他側片７１とで鉤形状のブラケット７２と、この一側片７０を方立１の側面１ａに固着する一側ボルト・ナット７３と、他側片７１を下の横枠５１に連結する上のボルト・ナット７４と、他側片７１を上の横枠３０の本体部３０ａに連結する下のボルト・ナット７５を有している。
【００２４】
可動パネルユニット２Ｂの障子６の框組体６３の上の横框６０、下の横框６１、縦框６２は、枠体５の上の横枠５０、下の横枠５１、縦枠５２内に収まるように設けられる室内側の上の本体部６０ａ、下の本体部６１ａ、縦の本体部６２ａと、この各本体部の室外側部に面内方向の外側に向けて設けられ、方立１の室外面１ｃよりも室外側に突出した室外側の上のパネル装着部６０ｂ、下のパネル装着部６１ｂ、縦のパネル装着部６２ｂを有している。
【００２５】
各パネル装着部６０ｂ，６１ｂ，６２ｂは面内方向の内側に開口した凹部６５を有し、パネル６４の周縁を凹部６５に挿入してシール材６６で水密することでパネル６４を支持している。
つまり、パネル装着部６０ｂ，６１ｂ，６２ｂはパネル６４の周縁を呑み込んで支持するパネル呑み込み部である。
【００２６】
要するに、可動パネルユニット２Ｂの障子６の框組体６３は、枠体５内に収まるように設けられる室内側の本体部と、方立１の室外面１ｃよりも室外側に突出したパネル装着部を有し、その本体部が方立１の見込み方向と重なり合うので、その重なり合う寸法だけ方立１と框組体６３との見込み寸法が小さいから、方立１と可動パネルユニット２Ｂの見込み寸法が小さい。
【００２７】
このようであるから、方立１に固定パネルユニット２Ａと可動パネルユニット２Ｂを取り付けたカーテンウォールの見込み寸法を小さくできる。
【００２８】
各パネル装着部６０ｂ，６１ｂ，６２ｂの室外側部分６０ｂ−１，６１ｂ−１，６２ｂ−１の面内方向の寸法（見付け寸法）は同一で、前述の固定パネルユニット２Ａのパネル装着部３０ｂ，３１ｂ，３２ｂの室外側部分３０ｂ−１，３１ｂ−１，３２ｂ−１の面内方向の寸法と同一であると共に、方立１の室外面１ｃからの距離が同一としてある。つまり、固定パネルユニット２Ａのパネル装着部の室外側部分と可動パネルユニットのパネル装着部の室外側部分の外観形状を同一としてある。
このようであるから、固定パネルユニット２Ａの外観と可動パネルユニット２Ｂの外観が同一となる。
【００２９】
上下のパネル装着部６０ｂ，６１ｂの室内面６０ｂ−２，６１ｂ−２は方立１の室外面１ｃよりも室外側に位置し、シール材６７を介して上下の横枠５０，５１の室外面５０ａ，５１ａに接している。
縦のパネル装着部６２ｂの室内側面６２ｂ−２は方立１の室外面１ｃの前に配置され、そのパネル装着部６２ｂで方立１の室外面１ｃを所定幅だけ覆っていると共に、シール材６７で水密してある。
【００３０】
このように、左右に隣接した固定パネルユニット２Ａの縦のパネル装着部３２ｂと可動パネルユニット２Ｂの障子６の框組体６３の縦のパネル装着部６２ｂは、図２に示すように、１つの方立１の室外面１ｃの前に面内方向に離隔して配置され、方立１の室外面１ｃの左右両側を所定幅（面内方向の所定の寸法の部分）をそれぞれ覆っているから、方立１の室外面１ｃが縦のパネル装着部３２ｂ，６２ｂで覆われ、パネルユニットが左右の連続した外観となるので、見栄えが良い。
【００３１】
この実施の形態では、固定パネルユニット２Ａの縦パネル装着部３２ｂが覆う所定幅と可動パネルユニット２Ｂの縦パネル装着部６２ｂが覆う所定幅が同一で、その縦パネル装着部３２ｂと縦パネル装着部６２ｂとは面内方向に離隔しているから、方立１の室外面１ｃの左右方向中央に縦目地が形成されている。
なお、前述の縦パネル装着部３２ｂが覆う所定幅と縦パネル装着部６２ｂが覆う所定幅を異ならせれば、縦目地は左右方向一側寄り又は左右方向他側寄りに形成される。
【００３２】
この実施の形態では左右の方立１間に固定パネルユニット２Ａと可動パネルユニット２Ｂを取り付けしたが、固定パネルユニット２Ａのみを取り付けても良いし、可動パネルユニット２Ｂのみを取り付けても良い。
【符号の説明】
【００３３】
１…方立、１ａ…側面、１ｃ…室外面、２Ａ…固定パネルユニット、２Ｂ…可動パネルユニット、３…枠体、４…パネル、５…枠体、６…障子、７…ファスナー、８…カバー、３０…上の横枠、３０ａ…本体部、３０ｂ…パネル装着部、３１…下の横枠、３１ａ…本体部、３１ｂ…パネル装着部、３２…縦枠、３２ａ…本体部、３２ｂ…パネル装着部、５０…上の横枠、５１…下の横枠、５２…縦枠、６０…上の横框、６０ａ…本体部、６０ｂ…パネル装着部、６１…下の横框、６１ａ…本体部、６１ｂ…パネル装着部、６２…縦框、６２ａ…本体部、６２ｂ…パネル装着部、６３…框組体、６４…パネル。
【図１】
2014118788.tif 000003
【図２】
2014118788.tif 000004
【図３】
2014118788.tif 000005
【図４】
2014118788.tif 000006